(57)【要約】  【課題】悪意にもとづいた出力物の持ち去りやあるいは誤った持ち去りを防止する画像形成装置を提供する。  【解決手段】媒体ＩＤ検知領域より、転写媒体に備えられた非接触ＩＣチップに格納された媒体ＩＤを読み出す第一のリーダと、第一のリーダが媒体ＩＤ検知領域内より読み出せなくなった媒体ＩＤを検知し出力するする媒体ＩＤ検知手段と、ユーザ検知領域内にてユーザが所持する非接触ＩＣチップに格納されたユーザＩＤを読み出す第二のリーダと、第二のリーダからの、ユーザＩＤを読み出せない旨の出力と、媒体ＩＤ検知手段からの所定の媒体ＩＤが読み出せなくなった旨の出力とに基づいて、防犯装置を動作させるための防犯出力を行う防犯出力手段とを備える画像形成装置を提供する。【選択図】図３
2007199132.tif 000002
【特許請求の範囲】
【請求項１】
転写媒体に備えられた非接触ＩＣチップを検知可能な領域である媒体ＩＤ検知領域より、転写媒体に備えられた非接触ＩＣチップに格納された当該転写媒体を一意に判別可能な媒体ＩＤを読み出す第一のリーダと、
上記第一のリーダが媒体ＩＤ検知領域内より読み出せなくなった媒体ＩＤを検知し出力する媒体ＩＤ検知手段と、
ユーザが所持する非接触ＩＣチップを検知可能な領域であるユーザ検知領域内にて、ユーザが所持する非接触ＩＣチップに格納された当該ユーザを特定するユーザＩＤを読み出す第二のリーダと、
上記第二のリーダからの、ユーザＩＤを読み出せない旨の出力と、上記媒体ＩＤ検知手段からの所定の媒体ＩＤが読み出せなくなった旨の出力とに基づいて、防犯装置を動作させるための防犯出力を行う防犯出力手段と、
を備える画像形成装置。
【請求項２】
さらに、
上記ユーザ検知領域内に侵入したユーザを検知するセンサーと、
上記センサーがユーザを検知しているにもかかわらず、上記第二のリーダがユーザＩＤを読み出せない場合にその旨を出力する警戒出力手段とを備え、
上記防犯出力手段は、上記警戒出力手段からの出力に基づいて、上記防犯出力を行う請求項１記載の画像形成装置。
【請求項３】
上記防犯出力手段は、さらに、上記媒体ＩＤ検知手段からの所定の媒体ＩＤが読み出せなくなった旨の出力に基づいて、上記防犯出力を行う請求項２に記載の画像形成装置。
【請求項４】
さらに、転写媒体への印刷時に、当該転写媒体への印刷を行ったユーザを特定するユーザＩＤを当該転写媒体が具備する非接触ＩＣチップに記録するライターを備え、
上記媒体ＩＤ検知手段は、読み出せなくなった媒体ＩＤを検知した際に、当該読み出せなくなった媒体ＩＤに記録されていたユーザＩＤを出力し、
上記防犯出力手段は、上記第二のリーダが読み出したユーザＩＤと、上記媒体ＩＤに記録されていたユーザＩＤとを比較し、異なるユーザＩＤである場合に上記防犯出力を行う請求項１又は２に記載の画像形成装置。
【請求項５】
上記ライターは、媒体ＩＤ検知手段から読み出せなくなった媒体ＩＤを取得し、上記ユーザ検知領域内のユーザが所持する非接触ＩＣチップに、上記取得した媒体ＩＤを記憶させる請求項１〜４のいずれかに記載の画像形成装置。
【請求項６】
上記ライターは、さらに重要な文書を印刷した旨を示す情報を非接触ＩＣチップに記録し、
上記防犯出力手段は、上記重要な文書を印刷した旨を示す情報が記録された転写媒体に対してのみ、防犯装置を動作させるための防犯出力を行う請求項１〜５のいずれかに記載の画像形成装置。
【請求項７】
上記防犯出力により動作する防犯装置は、上記ユーザ検知領域内を撮像する撮像装置、または警告音を発する警告音鳴動装置である請求項１に記載の画像形成装置。
【発明の詳細な説明】
【技術分野】
【０００１】
本発明は、画像形成装置に関し、詳しくは、出力物の不正な持ち出しを防止する画像形成装置に関する。
【背景技術】
【０００２】
従来、コピー機やプリンタ、複合機等の画像形成装置より出力された出力物（印刷物）は、その周囲の者であれば誰でも容易に閲覧することが可能であり、また自由に持ち去ることが可能である点で、セキュリティが脆弱であるといえる。
【０００３】
これに対して、特開２００２−１２０４７５号公報には、用紙の内部にＲＦＩＤ（Radio Frequency-Identification：電波方式認識）用のチップを漉き込むことで印刷した用紙そのものを特定する技術が開示されている。
【０００４】
また、特開２００３−２０８２９１号公報に記載の技術では、ＲＦＩＤを使用して、ユーザと出力物の対応付けを行い、出力物を持ち去った人物を特定する技術が開示されている。
【特許文献１】特開２００２−１２０４７５号公報
【特許文献２】特開２００３−２０８２９１号
【発明の開示】
【発明が解決しようとする課題】
【０００５】
しかしながら、上記技術では、出力物を持ち去った人物がユーザ認識用のＲＦＩＤを装着していない場合には、出力物を持ち去った人物を特定できないといった問題が生じる。誤って他人の出力物を持ち去る場合には、ユーザ認識用のＲＦＩＤを身につけていることは考えられるが、悪意のもとに他人の出力物を持ち去る場合には、ユーザ認識用のＲＦＩＤを身につけているとは考え難く、結局のところ脆弱なセキュリティの解決には至っていない。また、複数の出力物が出力トレイに蓄積されていた場合、どの出力物が持ち去られたかを特定することができないといった問題も生じる。
【０００６】
本発明は、上記従来の問題を解決するために提案するものであって、悪意にもとづいた出力物の持ち去りを防止する画像形成装置を提供することを目的とする。
【課題を解決するための手段】
【０００７】
本発明は、上記目的を達成するために以下の手段を採用している。すなわち本発明における画像形成装置においては、媒体ＩＤ検知領域より、転写媒体に備えられた非接触ＩＣチップに格納された媒体ＩＤを読み出す第一のリーダと、第一のリーダが媒体ＩＤ検知領域内より読み出せなくなった媒体ＩＤを検知し出力するする媒体ＩＤ検知手段と、ユーザ検知領域内にてユーザが所持する非接触ＩＣチップに格納されたユーザＩＤを読み出す第二のリーダと、第二のリーダからの、ユーザＩＤを読み出せない旨の出力と、媒体ＩＤ検知手段からの所定の媒体ＩＤが読み出せなくなった旨の出力とに基づいて、防犯装置を動作させるための防犯出力を行う防犯出力手段とを備える。
【０００８】
これにより、媒体ＩＤを記憶する非接触ＩＣチップを備えた印刷用紙を利用して印刷用紙の有無を判定し、また、ユーザＩＤを記憶する非接触ＩＣチップをユーザに携帯させてこれを検知することで、ユーザＩＤを記憶した非接触ＩＣチップを携帯していない不正ユーザの、印刷用紙の持ち去りを簡便な仕組みにより防止することができる。
【０００９】
また、ユーザ検知領域内に侵入したユーザを検知するセンサーと、センサーがユーザを検知しているにもかかわらず、第二のリーダがユーザＩＤを読み出せない場合にその旨を出力する警戒出力手段とを備え、防犯出力手段は、警戒出力手段からの出力に基づいて防犯出力を行う構成としてもよい。この場合、さらに防犯出力手段は、さらに、媒体ＩＤ検知手段からの所定の媒体ＩＤが読み出せなくなった旨の出力に基づいて、防犯出力を行う構成としてもよい。
第二のリーダと略同一範囲のユーザ検知領域を有するセンサーを設けることで、非接触ＩＣチップを携帯しない不正ユーザについては、印刷用紙が持ち去られる前に検知できるため、防犯効果を高めることができる。
また、転写媒体への印刷時に、当該転写媒体への印刷を行ったユーザを特定するユーザＩＤを、転写媒体が具備する非接触ＩＣチップに記録するライターを備え、媒体ＩＤ検知手段は、読み出せなくなった媒体ＩＤを検知した際に、読み出せなくなった媒体ＩＤに記録されていたユーザＩＤを出力し、防犯出力手段は、第二のリーダが読み出したユーザＩＤと、媒体ＩＤに記録されていたユーザＩＤとを比較し、異なるユーザＩＤである場合に防犯出力を行う構成としてもよい。
侵入したユーザのユーザＩＤと、持ち去られた印刷用紙に対応するユーザＩＤとを比較することで、不正ユーザによる持ち出しや又は誤った持ち出しも防止することが可能となる。
【００１０】
またさらに、ライターは、媒体ＩＤ検知手段から読み出せなくなった媒体ＩＤを取得し、上記ユーザ検知領域内のユーザが所持する非接触ＩＣチップに、上記取得した媒体ＩＤを記憶させる構成としてもよい。
【００１１】
これにより、持ち出したユーザが携帯する非接触ＩＣチップには、持ち去った印刷用紙に対応する媒体ＩＤが記憶されることになり、持ち去りの証拠とすることができるため、防犯効果を高めるに至る。
【００１２】
さらに、ライターは、さらに重要な文書を印刷した旨を示す情報を非接触ＩＣチップに記録し、防犯出力手段は、重要な文書を印刷した旨を示す情報が記録された転写媒体に対してのみ、防犯装置を動作させるための防犯出力を行う構成としてもよい。
印刷データの重要度を示す属性に基づいて防犯出力を行うことで、重要度の低い印刷用紙に対する過度な防犯処理を防止することができる。
【００１３】
なお、防犯出力により動作する防犯装置は、例えばユーザ検知領域内を撮像する撮像装置や、あるいは警告音を発する警告音鳴動装置とすることができる。
【発明の効果】
【００１４】
媒体ＩＤを記憶する非接触ＩＣチップを備えた印刷用紙を利用して印刷用紙の有無を判定し、また、ユーザＩＤを記憶する非接触ＩＣチップをユーザに携帯させてこれを検知することで、ユーザＩＤを記憶した非接触ＩＣチップを携帯していない不正ユーザの、印刷用紙の持ち去りを簡便な仕組みにより防止することができる。
また、第二のリーダと略同一範囲のユーザ検知領域を有するセンサーを設けることで、非接触ＩＣチップを携帯しない不正ユーザについては、印刷用紙が持ち去られる前に検知できるため、防犯効果を高めることができる。
さらに、侵入したユーザのユーザＩＤと、持ち去られた印刷用紙に対応するユーザＩＤとを比較することで、不正ユーザによる持ち出しや又は誤った持ち出しも防止することが可能となる。
【００１５】
持ち出したユーザが携帯する非接触ＩＣチップには、持ち去った印刷用紙に対応する媒体ＩＤを記憶するため、持ち去りの証拠とすることができ、即ち防犯効果を高めるに至る。
さらに、印刷データの重要度を示す属性に基づいて防犯出力を行うことで、重要度の低い印刷用紙に対する過度な防犯処理を防止することができる。
【発明を実施するための最良の形態】
【００１６】
以下、添付図面を参照して、本発明の実施の形態につき説明し、本発明の理解に供する。尚、以下の実施の形態は、本発明を具体化した一例であって、本発明の技術的範囲を限定するものではない。
【００１７】
本発明の画像形成装置は、例えばプリンタ単体や、プリンタ、コピー、ファックス等を備えた複合機等が該当する。
【００１８】
なお、一例として複合機を利用してコピーを行う際の画像形成装置の動作を簡単に説明する。
【００１９】
ユーザが複合機を利用して原稿を転写媒体である例えば印刷用紙に印刷する場合、原稿を図１に示す原稿台１０３、或いは載置台１０５に配置し、原稿台近傍に供えられた操作パネルに対して印刷の指示を行う。当該指示があると、以下に示す各駆動部が動作することで、印刷が行われる。
即ち、図１に示すように、本実施の形態の画像形成装置１００は、本体１０１と、本体１０１の上方に取り付けられたプラテンカバー１０２を備える。本体１０１の上面は原稿台１０３が設けられており、原稿台１０３は、プラテンカバー１０２によって開閉されるようになっている。プラテンカバー１０２は、自動原稿給紙装置１０４と載置台１０５と排紙台１０９が設けられている。
【００２０】
自動原稿給紙装置１０４は、プラテンカバー１０２の内部に形成された原稿搬送路１０８と、プラテンカバー１０２の内部に備えられたピックアップローラ１０６や搬送ローラ１０７等で構成される。原稿搬送路１０８は、載置台１０５から、本体１０１に設けられた読取部１１０にて読み取りが行なわれる読取位置Ｐを経由して、排紙台１０９に通じる原稿の搬送路である。
【００２１】
自動原稿給紙装置１０４は、載置台１０５に載置された原稿１枚ずつをピックアップローラ１０７で搬送路内１０８に引き出し、搬送ローラ１０６等によって引き出した原稿を読取位置Ｐを通過させて排紙台１０９に排紙する。読取位置Ｐを通過する時に原稿は読取部１１０にて読み取られる。
【００２２】
読取部１１０は、原稿台１０３の下方に設けられている。読取部１１０は、原稿台１０３を照射する主走査方向に長い光源１１１と、原稿台からの光を導くミラー１１２、１１３、１１４と、ミラーで導かれた光を撮像する撮像素子１１５とで構成されている。
【００２３】
自動原稿給紙装置１０４が原稿を搬送する時は、光源１１１は、読取位置Ｐを照射できる位置に移動して発光する。光源１１１からの光は、原稿台１０３を透過して読取位置Ｐを通過する原稿にて反射し、ミラー１１２、１１３、１１４によって撮像素子１１５に導かれる。撮像素子１１５は受光した光を撮像することで、原稿の画像データを生成する。
【００２４】
読取部１１０は、自動原稿給紙装置１０４で搬送される原稿だけでなく、原稿台１０３に載置された原稿も読み取ることが可能となっている。原稿台１０３に載置された原稿を読み取る場合は、読取部１１０は、光源１１１を発光させながら副走査方向に移動させて、原稿台１０３の全体を照射する。原稿台１０３からの反射光を撮像素子１１５に導くために、ミラー１１２は光源１１１と共に移動し、光源１１１から撮像素子１１５までの光路長を一定にするために、ミラー１１３、１１４は光源１１１及びミラー１１２の１/２の速度で移動する。
【００２５】
撮像素子１１５は、自動原稿給紙装置１０４に搬送された原稿のときと同じように、ミラー１１２、１１３、１１４に導かれた光に基づいて原稿台１０３に載置された原稿の画像データを生成する。
【００２６】
本体１０１の読取部１１０の下方には、画像データを印刷する印刷部１２０を備えている。印刷部１２０が印刷できる画像データは、上記のように撮像素子１１５に生成されたものや、その他画像形成装置１００とＬＡＮ等のネットワークに接続されたパーソナルコンピュータ等の端末から送信されたものである。
【００２７】
印刷部１２０が行う印刷方式には、例えば電子写真方式が用いられている。即ち、感光ドラム１２１を帯電器１２２で一様に帯電させ、その後レーザ１２３で感光ドラム１２１を照射して感光ドラム１２１に潜像を形成し、現像器１２４で潜像にトナーを付着させて可視像を形成し、転写ローラ１２５にて可視像を用紙に転写する方式で印刷が行われる。
【００２８】
可視像が印刷される用紙は、手差しトレイ１３１、給紙カセット１３２、１３３、１３４などの給紙トレイに載置されたものである。
【００２９】
印刷部１２０は、印刷を行うときは、何れか１つの給紙トレイから印刷用紙１枚をピックアップローラ１３５を用いて引き出し、引き出した印刷用紙を搬送ローラ１３７やレジストローラ１３８で感光ドラム１２１と転写ローラ１２５の間に送り込む。
【００３０】
印刷部１２０は、感光ドラム１２１と転写ローラ１２５の間に送り込んだ印刷用紙に可視像を転写すると、可視像を定着させるために、搬送ベルト１２６で定着装置１２７に印刷用紙を送る。定着装置１２７は、ヒータが内蔵された加熱ローラ１２８と、所定の圧力で加熱ローラ１２８に押し当てられた加圧ローラ１２９とで構成されている。加熱ローラ１２８と加圧ローラ１２９の間を印刷用紙が通過すると、熱と印刷用紙への押圧力によって可視像が用紙に定着する。印刷部１２０は、定着装置１２７を通過した印刷用紙を排紙トレイ１３０に排紙する。
【００３１】
以上が、画像形成装置１００における基本的なコピーの処理である。
【００３２】
また、上記画像形成装置１００は、図２の概略構成図に示すように、ＣＰＵ（Central Processing Unit）２０１、ＲＡＭ（Random Access Memory）２０２、ＲＯＭ（Read Only Memory）２０３、ＨＤＤ（Hard Disk Drive）２０４及び上記印刷処理における各駆動部に対応するドライバ２０５が内部バス２０６を介して接続されている。上記ＣＰＵ２０１は、例えばＲＡＭ２０２を作業領域として利用し、ＲＯＭ２０３やＨＤＤ２０４等に記憶されているプログラムを実行し、当該実行結果に基づいて上記ドライバ２０５とデータや命令を授受することにより上記図１に示した各駆動部の動作を制御する。
【００３３】
続いて、本発明に係る画像形成装置１００の詳細について説明する。
【００３４】
図３は、画像形成装置１００の概略機能ブロック図であり、非接触ＩＣチップ（ＲＦＩＤチップ）に情報を記録するライター３０１と、媒体ＩＤ検知領域３１０内にある非接触ＩＣチップの情報を読み出す第一のリーダ３０２と、媒体ＩＤ検知手段３０３と、当該媒体ＩＤ検知手段にて管理される記憶手段３０４と、ユーザ検知領域３０９内にいるユーザが所持する非接触ＩＣチップの情報を読み出す第二のリーダ３０５と、ユーザ検知領域３０９内にいるユーザを検知するセンサー３０６と、上記第二のリーダ３０５及びセンサー３０６より情報を取得する警戒出力手段３０７と、警戒出力手段３０７と媒体ＩＤ検知手段３０３より情報を取得する防犯出力手段３０８とを備える。なお、各手段の処理の詳細については後述する。
図４は、上記第一のリーダ３０２、第二のリーダ３０５が情報を読み取り、又は上記ライター３０１が情報を書き込む非接触ＩＣチップの概略構成図である。非接触ＩＣチップ４０１は、アンテナ４０２、送受信回路４０３、ＣＰＵ４０４、当該リーダ又はライターを制御するためのプログラムが格納されているＲＯＭ４０５、ＣＰＵによるプログラム実行時に例えばワークエリアとして使用されるＲＡＭＲＡＭ４０６を備えている。
【００３５】
上記リーダ３０２、３０５又はライター３０１と通信を行う非接触ＩＣチップ４０１は、当該リーダ３０２、３０５又はライター３０１の通信可能エリアに入ると、上記リーダ３０２、３０５又はライター３０１からの電磁波より誘導される電力にて動作する。つまり、非接触ＩＣチップ４０１は、上記電磁波によりアンテナ４０２を介して電力を誘導し、当該電力によりＣＰＵ４０４がＲＯＭ４０５に格納されるプログラムを動作させることで上記リーダ３０２、３０５又はライター３０１と通信する。当該通信時には、例えばリーダ３０２、３０５又はライター３０１より送信される命令を、アンテナ４０２、送受信回路４０３を介して受信する。そして、当該命令に基づいて上記ＲＡＭ４０６に情報を記録し、又はＲＡＭ４０６やＲＯＭ４０５より情報を読み出して、上記リーダ３０２、３０５又はライター３０１に情報を送信する。
【００３６】
上記非接触ＩＣチップ４０１は、ここでは二種類のものが利用される。１つは、転写媒体である印刷用紙に漉き込まれた非接触ＩＣチップであり、当該非接触ＩＣチップには少なくとも当該印刷用紙を一意に特定可能である媒体ＩＤが記録される。もうひとつは、画像形成装置１００を利用するユーザが身につけている非接触ＩＣチップであり、当該非接触ＩＣチップには所持しているユーザを一意に特定可能であるユーザＩＤが記憶されている。また、ユーザによる非接触ＩＣチップの所持は、例えばユーザが利用する携帯端末や、あるいは社員章などのカード型非接触ＩＣチップ（非接触ＩＣカード）を携帯することで実現される。
【００３７】
（実施の形態１）
続いて、本発明の実施の形態１に係る画像形成装置の処理の詳細について説明する。
【００３８】
最初に、画像処理装置１００に対して、ネットワークを介して接続されるパーソナルコンピュータ等から印刷データ及び印刷命令が送信されると、画像処理装置１００は、印刷したユーザのユーザＩＤ及び印刷データの属性を同時に取得する（図７Ａ：Ｓ７０１）。ここにいう属性とは、印刷された印刷データの重要度を示す指標とすることができる。
【００３９】
上記ユーザＩＤの取得は、パーソナルコンピュータ側にて例えばユーザが、自己のユーザＩＤが記憶された非接触ＩＣカードを、当該パーソナルコンピュータに接続された非接触ＩＣカードリーダに読み取らせることにより取得し、当該取得したユーザＩＤを画像処理装置１００に送信することで行われる。ただし、これに限らず、例えばパーソナルコンピュータにログインした際に入力されるユーザＩＤを取得してもよい。またさらに、画像形成装置１００が、印刷命令を送信したパーソナルコンピュータのＩＰアドレスに基づいて所定のデータベースを検索することで、当該ＩＰアドレスに対応付けられたユーザＩＤを取得してもよい。
【００４０】
上記印刷データの属性の取得は、例えばユーザが印刷データの印刷時に、当該印刷データが重要書類、あるいは機密書類であることを示す「重要」、「機密」などの、印刷用紙へのスタンプオプションを選択していることに基づいて、画像形成装置１００にて判断してもよい。また、印刷データ自体に「重要」や「機密」を意味する旨の情報があらかじめ含まれており、これに基づいて画像形成装置１００が判断してもよい。
【００４１】
上記画像形成装置１００にてユーザＩＤ及び属性が受信されると、印刷データの印刷時に、ライター３０１は、印刷の対象となる転写媒体（印刷用紙）に含まれる非接触ＩＣチップに対して、受信したユーザＩＤ及び属性を記録する（図７Ａ：Ｓ７０２）。なお、ここで、印刷用紙に含まれる非接触ＩＣチップがあらかじめ当該非接触ＩＣチップを一意に判別可能な媒体ＩＤを記憶している場合、第一のリーダ３０２は、印刷用紙の非接触ＩＣチップより、媒体ＩＤ、ユーザＩＤ、属性を読み出し、媒体ＩＤ検知手段３０３に送信する。また、印刷用紙に含まれる非接触ＩＣチップがあらかじめ媒体ＩＤを記憶していない場合、印刷時に、ライター３０１が、画像形成装置１００にて管理される媒体ＩＤを非接触ＩＣチップに記録する。
【００４２】
媒体ＩＤ検知手段３０３では、第一のリーダ３０２より受信した媒体ＩＤ、ユーザＩＤ、属性を関連付けて、媒体ＩＤ検知手段３０３が管理する記憶手段３０４に記憶する（図７Ａ：Ｓ７０３）。記憶手段３０４において記憶された媒体ＩＤ管理テーブルの一例を図５の媒体ＩＤ管理テーブル５０１に示す。媒体ＩＤ管理テーブル５０１は、印刷データが印刷された印刷用紙を一意に特定可能な媒体ＩＤ５０２と、当該印刷データの印刷を命令したユーザのユーザＩＤである印刷ユーザＩＤ５０３と、印刷データの重要度を示す属性５０４とが関連付けて記憶されている。
【００４３】
なお、上記第一のリーダ３０２は、図３の破線に示すように、印刷用紙に備えられた非接触ＩＣチップを検知可能な領域である媒体ＩＤ検知領域３１０を備えており、当該領域は、例えば画像形成装置１００の印刷用紙が出力される排紙トレイ１３０を含んでいる。したがって、画像形成装置１００にて出力された印刷用紙は、排紙トレイ１３０上にて常時上記第一のリーダ３０２にてその媒体ＩＤが読み出される。つまり、例えば上記排紙トレイ１３０よりある印刷用紙が持ち去られると、上記第一のリーダ３０２は当該持ち去られた印刷用紙の媒体ＩＤを取得できずに、他の取得できた媒体ＩＤのみを媒体ＩＤ検知手段３０３に送信することになる。媒体ＩＤ検知手段３０３では、出力時に記憶した媒体ＩＤ管理テーブル５０１に記憶された媒体ＩＤ５０２と、上記第一のリーダ３０２より受信した媒体ＩＤとを比較し、上記第一のリーダ３０２により読み出せなかった媒体ＩＤを判断することで、持ち去られた印刷用紙を検知することが可能である（図７Ａ：Ｓ７０４ＹＥＳ、ＮＯ）。
【００４４】
以上が、印刷データが印刷用紙に印刷され出力されるとともに、その存在を媒体ＩＤ検知手段３０３が検知する処理である。
【００４５】
さて、このような状態において、上記画像形成装置１００上の印刷用紙をユーザが持ち去る場合について図６を用いて説明する。
【００４６】
印刷データの印刷命令を行った正規ユーザ６０１Ａは、必ず、ユーザを一意に識別可能なユーザＩＤを記憶する非接触ＩＣチップ４０１を携帯することを義務付けられている。このような条件の下、正規ユーザ６０１Ａが印刷用紙を持ち去る場合、図３の破線で示された、画像形成装置１００が備えるユーザ検知領域３０９（図６の３０９Ａ、３０９Ｂ）に侵入する必要がある。ユーザ検知領域とは、ユーザが所持する非接触ＩＣチップを第二のリーダ３０５が検知可能な領域であり、印刷用紙を持ち去る場合にはユーザが必ず侵入する必要がある領域に設けられる。また、ユーザ検知領域３０９は、後述するセンサー３０６がユーザを認識可能な領域とも一致する。
【００４７】
正規ユーザ６０１Ａがユーザ検知領域３０９Ａに侵入すると、上記第二のリーダ３０５はユーザが携帯する非接触ＩＣチップ４０１を検知する。そして、検知している場合にはその旨が所定の間隔で、第二のリーダ３０５より防犯出力手段３０８に送信される。次に、当該正規ユーザ６０１が、画像形成装置１００の媒体ＩＤ検知領域３１０より自らが印刷した印刷用紙を持ち去ると、上述した処理により、媒体ＩＤ検知手段３０３が第一のリーダ３０２を介して持ち去られた旨を検知する（図７Ａ：Ｓ７０４ＮＯ）。
【００４８】
印刷用紙が持ち去られると、持ち去られた印刷用紙に対応する媒体ＩＤが、媒体ＩＤ検知手段３０３より防犯出力手段３０８に送信される。
【００４９】
防犯出力手段３０８では、印刷用紙が持ち去られた旨を媒体ＩＤ検知手段３０３より取得すると、上記第二のリーダ３０５がユーザを検知しているか否かを判定する（図７Ａ：Ｓ７０５）。ここで、第二のリーダ３０５が検知していない場合、非接触ＩＣチップを携帯していないユーザ、すなわち不正ユーザが印刷用紙を持ち去ったものと判断できるため、防犯出力手段３０８は、所定の防犯装置に対して防犯出力を行い、防犯出力を受けた防犯装置が動作する（図６Ｂ）。ここにいう防犯装置とは、上記ユーザ検知領域内を撮像する撮像装置や、警告音を発する警告音鳴動装置などが挙げられるが、特にこれに限らず、不正ユーザによる持ち去りを防止する装置やあるいは持ち去った不正ユーザを特定するための装置などであればよい。防犯装置は画像形成装置１００が備えていてもよいし、画像形成装置が備えない外部の防犯装置に出力を行うものであってもよい。
なお、第二のリーダ３０５がユーザＩＤを検知している場合（図６Ａ）、正規ユーザが印刷用紙を持ち去ったものとして、その印刷用紙についての処理を終了する（図７Ａ：Ｓ７０５ＹＥＳ）。
【００５０】
以上のように、媒体ＩＤを記憶する非接触ＩＣチップを備えた印刷用紙を利用して印刷用紙の有無を判定し、また、ユーザＩＤを記憶する非接触ＩＣチップをユーザに携帯させてこれを検知することで、ユーザＩＤを記憶した非接触ＩＣチップを携帯していない不正ユーザの、印刷用紙の持ち去りを簡便な仕組みにより防止することができる。
【００５１】
（実施の形態２）
ところで、上記構成では、印刷用紙が媒体ＩＤ検知領域３１０より持ち去られて始めて防犯のためのシステムが動作するため、防犯効果が低いといえる。また、非接触ＩＣチップを携帯する正規ユーザであっても、他のユーザが印刷した印刷用紙を持ち去った場合には、不正ユーザとして扱われるのが妥当であるといえる。
【００５２】
よって、このような場合に対応可能とするために、画像形成装置１００が、ユーザ検知領域３０９に侵入したユーザの存在を検知するセンサー３０６を備える構成としてもよい。当該構成における画像形成装置１００の処理について説明する。なお、この構成においても、上記実施の形態１にて述べた処理Ｓ７０１〜Ｓ７０３については同一のため省略する。また、その他同一処理についても割愛する。
【００５３】
さて、上記センサー３０６は、非接触ＩＣチップを携帯していないユーザを含む、ユーザ検知領域３０９に侵入したユーザを検知できればよく、人感センサー、物体センサー、温度センサーなどが該当する。なお、上記センサーが検知できる範囲は、上記第二のリーダが非接触ＩＣチップを検知できる範囲と略同一とすることが望ましい。
【００５４】
このような構成で、上記処理Ｓ７０１〜Ｓ７０３が完了した後、ユーザがユーザ検知領域３０９に侵入した場合を考える。
【００５５】
この場合、図７Ｂの処理７００に示すように、センサー３０６は侵入したユーザを検知する（図７Ｂ：Ｓ７１０ＹＥＳ）。センサー３０６がユーザを検知すると、当該検知した旨は警戒出力手段３０７に送信される。次に、警戒出力手段３０７は、上記第二のリーダ３０５がユーザの携帯する非接触ＩＣチップによりユーザを検知しているか否かを確認する（図７Ｂ：Ｓ７１１）。
【００５６】
ここで、非接触ＩＣチップによりユーザを検知していない場合、正規ユーザを示す非接触ＩＣチップを携帯していない不正ユーザがユーザ検知領域に侵入したとみなせる為、その旨を防犯出力手段３０８に送信する。不正ユーザが検知領域に侵入した旨を受信すると、防犯出力手段３０８は上記防犯出力を行う（図７Ｂ：Ｓ７１４）。そして、例えば防犯出力により警告音鳴動装置が作動することで、不正ユーザが印刷用紙を持ち去る前に警告を発し、すなわち不正な持ち去りを予防できる。
【００５７】
なお、第二のリーダ３０５が非接触ＩＣチップによりユーザを検知している場合、警戒出力手段３０７は、上記第二のリーダ３０５が取得したユーザＩＤを取得し、センサー３０６がユーザを検知した旨と合わせて防犯出力手段３０８に送信する（図７Ｂ：Ｓ７１１ＹＥＳ）。
【００５８】
上記ユーザＩＤ及びユーザが侵入した旨を受信した防犯出力手段３０８は、媒体ＩＤ検知手段３０３による印刷用紙の持ち去りの有無を適宜確認する（図７Ｂ：Ｓ７１２）。
【００５９】
ここで、印刷用紙の持ち去りがない場合には単なるユーザの、ユーザ検知領域への侵入にとどまり、防犯に関する出力は行わない（図７Ｂ：Ｓ７１２ＹＥＳ→Ｓ７１０）。
【００６０】
なお、上記媒体ＩＤ検知手段３０３により印刷用紙の持ち去りが検知された場合、防犯出力手段３０８は、当該媒体ＩＤ検知手段３０３より、持ち去られた印刷用紙に対応する印刷ユーザも媒体ＩＤ検知手段３０３を介して媒体ＩＤ管理テーブル５０１より取得する（図７Ｂ：Ｓ７１２ＮＯ）。そして、持ち去られた印刷用紙に対応する印刷ユーザＩＤと、上記第二のリーダ３０５が検知したユーザＩＤとが一致するか否かを判定する（図７Ｂ：Ｓ７１３）。
【００６１】
ここで、一致する場合、印刷命令及び印刷データを送信したユーザが、当該印刷命令に対応する印刷用紙を持ち去ったと判定できるため、防犯出力は行わない（図７Ｂ：Ｓ７１３ＹＥＳ）。
【００６２】
なお、一致しない場合、印刷命令及び印刷データを送信したユーザではないユーザが、当該印刷命令に対応する印刷用紙を持ち去ったと判定でき、つまり、不正ユーザか又は誤った持ち出しと判定できるため、防犯出力を行う（図７Ｂ：Ｓ７１３ＮＯ→Ｓ７１４）。
【００６３】
以上のように、第二のリーダと略同一範囲のユーザ検知領域を有するセンサーを設けることで、非接触ＩＣチップを携帯しない不正ユーザについては、印刷用紙が持ち去られる前に検知できるため、防犯効果を高めることができる。
【００６４】
また、侵入したユーザのユーザＩＤと、持ち去られた印刷用紙に対応するユーザＩＤとを比較することで、不正ユーザによる持ち出しや又は誤った持ち出しも防止することが可能となる。
【００６５】
なお、持ち去られた印刷用紙に対応する印刷ユーザＩＤと上記第二のリーダ３０５が検知したユーザＩＤとが一致しない場合には、ユーザが持ち出した媒体ＩＤをユーザの携帯する非接触ＩＣチップに書き込む旨の命令を、防犯出力手段３０８がライター３０１に送信してもよい（図８：Ｓ７１３ＮＯ→Ｓ８０１）。ライター３０１は、当該命令に基づいて、媒体ＩＤをユーザの携帯する非接触ＩＣチップに書き込む。
【００６６】
これにより、持ち出したユーザが携帯する非接触ＩＣチップには、持ち去った印刷用紙に対応する媒体ＩＤが記憶されることになり、持ち去りの証拠とすることができるため、防犯効果を高めるに至る。
【００６７】
上記媒体ＩＤをユーザの携帯する非接触ＩＣチップに書き込む処理は、実施の形態１においても適用することができる。この場合には、防犯装置は動作しないものの、持ち去りの証拠が非接触ＩＣチップに残るため、同一の効果を有する。
【００６８】
また、上記実施の形態１又は２の処理に加えて、印刷データの属性に基づいて、防犯出力の可否（オン・オフ）を判定してもよい。すなわち、防犯出力手段３０８は、印刷用紙が持ち去られた際には、媒体ＩＤ検知手段３０３を介して媒体ＩＤ管理テーブル５０１より、持ち去られた印刷用紙に対応する属性５０４も取得する。
【００６９】
そして、実施の形態１あるいは実施の形態２の処理に加えて、防犯出力手段３０８は、印刷された印刷データの重要度を示す属性５０４にも基づいて防犯出力を行うか否かを決定するのである。例えば持ち去られた印刷用紙の属性が「重要」あるいは「機密」に該当しない場合には、上記防犯出力を行わないようにする。当然、「重要」あるいは「機密」に該当する場合には、必要に応じて上記防犯出力を行うのである。
【００７０】
以上のように、印刷データの重要度を示す属性に基づいて防犯出力を行うことで、重要度の低い印刷用紙に対する過度な防犯処理を防止することができる。
【産業上の利用可能性】
【００７１】
本発明に係る画像形成装置は、悪意にもとづいた出力物の持ち去りやあるいは誤った持ち去りを防止する画像形成装置として有用である。
【図面の簡単な説明】
【００７２】
【図１】画像形成装置の概略側面図。
【図２】画像形成装置の概略構成図。
【図３】画像形成装置の概略機能ブロック図。
【図４】非接触ＩＣチップの概略構成図。
【図５】媒体ＩＤ管理テーブルの一例を示す図。
【図６】非接触ＩＣチップの携帯の有無に対する防犯装置作動のイメージ図。
【図７】画像形成装置の処理を示す第一のフローチャート。
【図８】画像形成装置の処理を示す第二のフローチャート。
【符号の説明】
【００７３】
１００  画像形成装置
１３０  排紙トレイ
３０１  ライター
３０２  第一のリーダ
３０３  媒体ＩＤ検知手段
３０４  記憶手段
３０５  第二のリーダ
３０６  センサー
３０７  警戒出力手段
３０８  防犯出力手段
３０９  ユーザ検知領域
３１０  媒体ＩＤ検知領域
【図１】
2007199132.tif 000003
【図２】
2007199132.tif 000004
【図３】
2007199132.tif 000005
【図４】
2007199132.tif 000006
【図５】
2007199132.tif 000007
【図６】
2007199132.tif 000008
【図７】
2007199132.tif 000009
【図８】
2007199132.tif 000010